(57)【要約】【課題】格別サイドステーやストラップ等の固定用別部材を用いずとも、装着使用時にずり落ちや、ずり上がりが生じることのない膝用サポーターの提供。【解決手段】筒状サポーター本体の膝関節の前面側被覆部がその上下両端部から膝蓋骨領域に向って凹湾曲面となっていると共に、当該サポーター本体の後面側被覆部がその上下両端部から凹湾曲面を形成しつつ、膝蓋骨の裏側領域部においてフラット面となっていることを特徴とする膝用サポーター。【選択図】図１
2014047425.tif 000002
【特許請求の範囲】
【請求項１】
筒状サポーター本体の膝関節の前面側被覆部がその上下両端部から膝蓋骨領域に向って凹湾曲面となっていると共に、当該サポーター本体の後面側被覆部がその上下両端部から凹湾曲面を形成しつつ、膝蓋骨の裏側領域部においてフラット面となっていることを特徴とする膝用サポーター。
【請求項２】
筒状サポーター本体の上部開口縁部が前面側被覆部から後面側被覆部に向って上昇傾斜していると共に、その下部開口縁部が前面側被覆部から後面側被覆部に向って下降傾斜していることを特徴とする請求項１記載の膝用サポーター。
【請求項３】
上部開口縁部及び下部開口縁部のそれぞれに、周方向には伸縮性を有するものの、軸方向には伸縮性を有しない上部縁取テーピング部と下部縁取テーピング部が取り付け固定されていることを特徴とする請求項１又は２記載の膝用サポーター。
【請求項４】
筒状サポーター本体が、伸縮性を有する前面パーツ、後面パーツ及び左右の側面パーツを連結せしめて形成されたものであることを特徴とする請求項１〜３の何れか１項記載の膝用サポーター。
【発明の詳細な説明】
【技術分野】
【０００１】
本発明は膝用サポーター、更に詳細には装着使用時にずり落ちや、ずり上がりが生じない膝用サポーターに関する。
【背景技術】
【０００２】
一般に膝用サポーターは、単純な円筒タイプのもの（例えば特許文献１参照）や前面側に突出屈曲した「く」の字タイプのもの（例えば特許文献２参照）が汎用されている。
しかしながら、斯かる従来の膝用サポーターは、これを膝に装着して使用した場合、膝の屈伸動の反復により、膝蓋骨より上部においてはずり落ち、また膝蓋骨より下部においてはずり上がりが生じると云う問題があった。
そのため、従来斯かるずり落ちや、ずり上がりを防止しようとするときは、サイドステーやストラップ等の固定用別部材を使用せざるを得なかったのが実状であった。
【先行技術文献】
【特許文献】
【０００３】
【特許文献１】特開２０１１−１３０７８４号公報
【特許文献２】特開２０１０−１１１９５６号公報
【発明の概要】
【発明が解決しようとする課題】
【０００４】
本発明は、上記の如き従来の問題と実状に鑑みてなされたもので、格別サイドステーやストラップ等の固定用別部材を用いずとも、装着使用時にずり落ちや、ずり上がりが生じることのない膝用サポーターを提供することを課題としている。
【課題を解決するための手段】
【０００５】
本発明者は、上記の課題を解決すべく鋭意研究を重ねた結果、膝用サポーターの前面側被覆部を、意外にも従来の「く」の字タイプのサポーターとは逆に凹湾曲せしめると共に、後面被覆部を上下両端から凹湾曲せしめつつ、膝蓋骨の裏側領域部においてフラットにすれば、極めて良い結果が得られることを見い出し、本発明を完成した。
【０００６】
更に本発明者は、膝用サポーターの上部開口縁部を前面側から後面側に上昇傾斜せしめると共に、下部開口縁部を前面側から後面側に下降傾斜せしめれば、ずり落ち及びずり上がり防止効果がより向上することを見い出し、本発明を完成した。
【０００７】
すなわち、本発明は、筒状サポーター本体の膝関節の前面側被覆部がその上下両端部から膝蓋骨領域に向って凹湾曲面となっていると共に、当該サポーター本体の後面側被覆部がその上下両端部から凹湾曲面を形成しつつ、膝蓋骨の裏側領域部においてフラット面となっていることを特徴とする膝用サポーターにより前記課題を解決したものである。
【０００８】
また、本発明は、上記筒状サポーター本体の上部開口縁部を前面側被覆部から後面側被覆部に向って上昇傾斜せしめると共に、その下部開口縁部を前面側被覆部から後面側被覆部に向って下降傾斜せしめたことを特徴とする膝用サポーターにより前記課題を解決したものである。
【発明の効果】
【０００９】
本発明の膝用サポーターを用いれば、格別サイドステーやストラップ等の固定用別部材を用いることなく、装着使用時にずり落ちや、ずり上がりが生じることを防止することができる。
【図面の簡単な説明】
【００１０】
【図１】本発明膝用サポーターの側面説明図。
【図２】本発明膝用サポーター形成用パーツ例を示す模式説明図。
【図３】本発明膝用サポーターを装着して屈曲した状態を示す側面説明図。
【図４】従来膝用サポーターを装着して屈曲した状態を示す側面説明図。
【発明を実施するための形態】
【００１１】
以下本発明の実施の形態を図面と共に説明する。
【００１２】
図１において、１０は上下が開口した筒状のサポーター本体で、全体が縦・横方向に伸縮性を有するものであるが、その膝関節の前面側被覆部１１を、装着時横方向に比し縦方向がより伸縮し易い（低弾性）ものとすると共に、その後面側被覆部１２を、装着時縦方向に比し横方向がより伸縮し易い（低弾性）ものとするのが、膝の屈伸動に密着性を保持しながら対応し得るので特に望ましい。
当該膝関節の前面側被覆部１１は、その上下両端部から膝蓋骨領域に向って凹湾曲面となっている。この凹湾曲面の最深部までの距離Ｌとしては１０〜２５mm、特に１５〜２０mm程度とするのがずり落ちや、ずり上がり防止作用を得る上で好ましい。
また、当該膝関節の後面側被覆部１２は、その上下両端部から膝蓋骨の裏側領域部に向って凹湾曲１２ａを形成しつつ、膝蓋骨の裏側領域部においてフラット面１２ｂとなっている。この凹湾曲面の最深部、すなわちフラット面１２ｂまでの距離Ｍとしては５〜２０mm、特に５〜１０mmとするのがずり落ちや、ずり上がり防止作用を得る上で好ましい。また、当該フラット面１２ｂの長さＮとしては４０〜６０mm、特に４５〜５５mmとするのがずり落ちや、ずり上がり防止作用を得る上で好ましい。
【００１３】
サポーター本体１０の上部開口縁部１３は、前面側被覆部１１から後面側被覆部１２に向って上昇傾斜していると共に、その下部開口縁部１４は、前面側被覆部１１から後面側被覆部１２に向って下降傾斜している。当該上昇傾斜の角度αとしては１０〜３０°、特に１５〜２０°、また当該下降傾斜との角度βとしては５〜２０°、特に５〜１５°とするのがずり落ちや、ずり上がり防止作用を得る上で好ましい。
【００１４】
１３ａは上部縁取テーピング部で、周方向には伸縮性を有する（低弾性）ものの、軸方向には伸縮性を有しない（高弾性）帯状生地により上部開口縁部１３に縫合等の手段により取り付け固定されている。また、１４ａは下部縁取テーピング部で、上部縁取テーピング部１３ａと同様の生地・手段により下部開口縁部１４に取り付け固定されている。この上部縁取テーピング部１３ａ及び下部縁取テーピング部１４ａの取り付け固定により、上下開口縁部において軸方向の伸縮が阻害され、脚部への固定保持力が向上する結果、より確実にずり落ちや、ずり上がりを防止することができる。
【００１５】
斯かる本発明膝用サポーターは、伸縮性を有する上記の如き前面側被覆部１１と後面側被覆部１２の２パーツを縫合等の手段により連結して筒状に形成することにより得られるが、特に図２に示すような形状の伸縮性を有する側面パーツ１０ａ，前面パーツ１０ｂ，側面パーツ１０ｃ，後面パーツ１０ｄの４パーツを縫合等の手段により連結して筒状に形成すれば、より装着時の密着性に優れた膝用サポーターが得られる。この場合、前述の如く、当該前面パーツ１０ｂを縦方向により伸縮性を有するものとすると共に、後面パーツ１０ｄを横方向により伸縮性を有するものとするのが特に望ましい。
【００１６】
次に、上記の如き本発明膝用サポーターの作用について説明する。
【００１７】
膝の伸展時（立位体）の状態は、真横から見たときには、垂直の円柱状ではなく、前面側においては膝蓋骨から頸骨素面方向に約１５mm程度凹湾曲していると共に、膝蓋骨トップから大腿骨の間に凹みが形成され、他方膝蓋骨の後背面側においても下腿三頭筋（ふくらはぎ）の位置から約１５mm程度前面側方向にへこんでいる。そして、膝はその屈伸に伴ない、膝蓋骨の上下において大腿筋と下腿三頭筋が縦と横に筋肉の収縮を繰り返す。因みに、大腿筋と下腿三頭筋の周径は、伸展時に最も細くなり、９０°に屈曲したときに最も太くなる。
【００１８】
斯かる膝に、従来の単純な円筒タイプの膝用サポーターを装着した場合、図４に示すように、膝の屈曲時に、伸縮性を有する膝関節の前面側被覆部が膝蓋骨から上下両端部方向（図４中、矢印Ｘ）に伸張すると共に、同じく伸縮性を有する後面側被覆部は上下両端部から膝裏中央部方向（図４中、矢印Ｐ）に伸張する。この状態において当該前面側被覆部の復元力は上下両端部から膝蓋骨方向（図４中、矢印Ｙ）に作用しているが、この復元力の作用方向は当該後面側被覆部の伸張方向（図４中、矢印Ｐ）と一致している。
【００１９】
而して、斯かる膝の屈曲時から伸展時に向うときに、当該前面側被覆部が上下両端部から膝蓋骨方向（図４中、矢印Ｙ）に収縮復元すると共に、当該後面側被覆部は膝裏中央部から上下両端部方向（図４中、矢印Ｑ）に収縮復元するが、当該前面側被覆部の伸張度合が後面側被覆部の伸張度合より大きいので、前面側被覆部の復元力（図４中、矢印Ｙ）の方が後面側被覆部の復元力（図４中、矢印Ｑ）より強い。
【００２０】
そのため、斯かる膝の屈伸に伴なう前面側被覆部と後面側被覆部の収縮作用の反復により、サポーターが上下両端部から膝蓋骨方向へ摺動し、単純な円筒タイプのサポーターが膝の伸展時の形状にも対応せず、全面的に肌面との密着度合が減少し易いこととも相俟って、装着したサポーターが、膝蓋骨より上部においてはずり落ちが生じ、膝蓋骨より下部においてはずり上がりが生じていた。
【００２１】
また、従来の「く」の字タイプの膝用サポーターは、装着前において既に図４に示す如き形態をしているため、膝の屈曲時には伸張力、従って復元力が緩和されるが、膝の伸展時には却って、上下両端部から膝蓋骨方向（図４中、矢印Ｙ）と膝裏中央部方向（図４中、矢印Ｐ）への復元力が強まると共に、特に前面側被覆部の肌面との密着度合が大きく減少する結果、単純な円筒タイプと同様に、やはり膝蓋骨より上部においてはずり落ちが生じ、膝蓋骨より下部においてはずり上がりが生じるものであった。
【００２２】
これに対し、本発明の膝用サポーターは、図１に示すように、前面側被覆部１１及び後面側被覆部１２が凹湾曲面となっているので、これを装着した場合、膝の屈曲時はもとより、その伸展時においても肌面との強い密着力が得られる。而して、この装着状態で膝を屈曲した場合、図３に示すように、当該前面側被覆部１１の復元力は、その凹湾曲面部により膝蓋骨から膝裏方向（図３中、矢印Ｚ）にも強く作用するので、上下両端部から膝蓋骨方向（図３中、矢印Ｙ）への復元力が減殺される。しかも、その後面側被覆部１２も凹湾曲面１２ａとなっているので、膝を屈曲した場合当該後面側被覆部１２における上下両端部から膝裏中央部方向（図３中、矢印Ｐ）への伸張作用が緩和されると共に、当該凹湾曲面１２ａから引き続いて膝蓋骨の裏側領域部がフラット面１２ｂとなっているので、当該フラット面１２ｂにおいては、上下両端部から膝裏中央部方向（図３中、矢印Ｐ）への伸張作用が殆ど生じることはない。
【００２３】
そのため、本発明の膝用サポーターを装着使用すれば、サポーターの上下両端部から膝蓋骨方向（図３中、矢印Ｙ）への作用が減殺され、肌面との強い密着力と相俟って、格別サイドステーやストラップ等の別部材を用いることなく、膝蓋骨より上部におけるずり落ちや、膝蓋骨より下部におけるずり上がりを防止することができる。
【００２４】
また、従来の単純な円筒タイプの膝用サポーターは、上下両開口縁部が平行な水平端縁であったため、装着して膝を屈曲した場合、図４に示すように、前面側上部開口縁部より後面側上部開口縁部の方が低い位置となるため、前面側被覆部の膝蓋骨方向（図４中、矢印Ｙ）への復元力により、当該低い位置に対応して膝蓋骨方向へずり落ちが生じ易いと共に、前面側下部開口縁部より後面側下部開口縁部の方が高い位置となるため、前面側被覆部の膝蓋骨方向（図４中、矢印Ｙ）への復元力により、当該高い位置に対応して膝蓋骨方向へずり上がりが生じ易いものであった。
【００２５】
これに対し、本発明の膝用サポーターは、図１に示すように、前面側上部開口縁部より後面側上部開口縁部の方が高い位置にあるため、装着して膝を屈曲しても、前面側上部開口縁部より後面側上部開口縁部の方が高い位置か同程度の位置になる結果、当該後面側上部開口縁部が前面側被覆部の膝蓋骨方向（図３中、矢印Ｙ）への復元力のストッパーとして機能する。
また、前面側下部開口縁部より後面側下部開口縁部の方が低い位置にあるため、膝を屈曲しても、前面側下部開口縁部より後面側上部開口縁部の方が低い位置か同程度の位置になる結果、当該後面側下部開口縁部が前面側被覆部の膝蓋骨方向（図３中、矢印Ｙ）への復元力のストッパーとして機能する。
【００２６】
そのため、上記の如き本発明膝用サポーターを装着使用すれば、より確実にサポーターのずり落ちや、ずり上がりを防止することができる。
【符号の説明】
【００２７】
１０：サポーター本体
１０ａ：側面パーツ
１０ｂ：前面パーツ
１０ｃ：側面パーツ
１０ｄ：後面パーツ
１１：前面側被覆部
１２：後面側被覆部
１２ａ：凹湾曲面
１２ｂ：フラット面
１３：上部開口縁部
１３ａ：上部縁取テーピング部
１４：下部開口縁部
１４ａ：下部縁取テーピング部
【図１】
2014047425.tif 000003
【図２】
2014047425.tif 000004
【図３】
2014047425.tif 000005
【図４】
2014047425.tif 000006